(57)【要約】      （修正有）【課題】一般家庭、集合住宅、商店街、飲食店街等のゴミ集積場等の鳥獣害虫の被害を防止でき、安価で容易に組み立て設置でき、設置場所のない都会等では、ゴミ出しの日のみ簡単に組み立て設置する事ができ、ゴミ等を大量に保管でき、容易に回収作業が出来るゴミ箱等物入れを提供する。【解決手段】木製、鋼製、アルミ製等のラテス、フェンス、柵等に網等を貼り付け、鳥獣や害虫を防止するパネルを制作し、これを補強金具等を用いて組み立て、ゴミ箱等物入れを実現する。更に蝶番等を用いて折りたたみ式にするか、繋ぎ金具を用いて容易に組み立てられる構造にした。直線的になる繋ぎ金具を用いた場合は、パネルを連続させた大型のゴミ箱等物入れを製作できる。又開口部を広く、内部に入れる高さのパネルを用いる事により、ゴミ回収作業や菜園の農作業等が容易に出来る。【選択図】図１
0003155413.tif 000002
【実用新案登録請求の範囲】
【請求項１】
木製、鋼製、アルミ製のラテス、フェンス及び柵等に、網等を貼り付け鳥獣や害虫の侵入を防止するパネルの製造。
【請求項２】
木製、鋼製、アルミ製のラテス、フェンス及び柵等に、網等を貼り付け鳥獣や害虫の侵入を防止するパネルを用いて組み立てたゴミ箱等物入れの製造。
【請求項３】
木製、鋼製、アルミ製のラテス、フェンス及び木等に、網等を貼り付けたパネルの支柱に蝶番等を可変可能な金具を取り付ける事による鳥獣や害虫の侵入を防止し、持ち運び可能な、折りたたみ式ゴミ箱等物入れの製造。
【請求項４】
木製、鋼製、アルミ製のラテス、フェンス及び柵等に、網等を貼り付けたパネルの支柱に繋ぎ用金具を取り付ける事による鳥獣、害虫の侵入を防止し、容易に組み立て解体でき、パネル単体を持ち運び可能な、ゴミ箱等の物入れ製造。
【考案の詳細な説明】
【技術分野】
【０００１】  本考案は、一般家庭、集合住宅、商店街、飲食街等がゴミの収集時にあわせて、所定場所、又は道路脇に積み上げて出すゴミ等について、夜間は鼠、野良犬や野良猫、昼間はカラス等による食い荒らしの被害を防止するために、設置できるゴミ箱等を提供する。【０００２】  本考案は、ゴミ箱等を常設する場所が無く、ゴミの排出量が多い集合住宅や商店街、飲食街等が必要に応じて、容易に設置でき、不必要な時は折りたたむか、解体して少ない保管場所に収納できゴミ箱等を提供する。【０００２】  本考案は、ゴミの収集に携わる回収業者の作業労力を少なくし、鳥獣が食い散らかすのを防止し、集合住宅等の管理人や清掃人が容易に、出し入れや清掃作業しやすいゴミ箱等を提供する。【０００３】  本考案は、家庭菜園、小規模農家の作物作り中に被る鳥獣害虫被害を防止し、直射日光を緩和し、雨などの恵みを直に受ける事が出来るカバーに転用できる物入れ等を提供する。
【背景技術】
【０００４】  従来の収集用ゴミ箱類は、集合住宅等大型の作りつけの鋼製品のゴミ箱を設置している所があるが、常設のために固定された場所が必要であり、設置に関しては高価な費用を要する。【０００５】  一般的家庭用には小型のコンクリート枠や鋼製の枠に蓋を付けたゴミ箱、及びポリバケツ等のゴミ入れが代表的にあげられる。【０００６】  ゴミ箱等を設置する場所がなく、ゴミ等の排出量の多い集合住宅や商店街、飲食街等は、ポリエチレン製、布製の網等をゴミの上から覆い、鳥獣被害の防止に勤めている。【０００７】  黄色がカラスには見えないとの情報から、黄色の網やシートを覆い被せ、カラスに対処している。【０００８】  家庭菜園や小規模の農業菜園では、温室効果をもたらすフード状のビニールハウスなど存在し、鳥獣害虫被害を防止する事が出来るが、上部や側面がビニールシート等で覆われているため、肥料や水やり等の作業が困難である。
又温度調節や通気性を求める為に下部を開ける場合は、鳥獣害虫が容易に侵入し被害を防止する事は出来ない。
【考案の概要】
【考案が解決しようとする課題】
【０００９】  以上述べた従来の小型ゴミ箱及びポリバケツ型ゴミ入れでは、ゴミの収容量が少なく、回収業者が一箇所、一個人宅毎に、蓋を開け回収に当たらなければならないため、多大な労力が必要となる。又、固定されていないポリバケツ型ゴミ入れ等は、ゴミを回収した後、軽くなり風等に吹き飛ばされてしまうおそれがある。【００１０】  ポリエチレン製、布製等の網や黄色がカラスに見えないとされるシート類でゴミ等を覆う処置は、当初は効果があるが、カラスの学習能力により網やシート等に覆われている下に、餌になる物があると学習すると、網やシート等の上からほじくり返したり、引っ張りめくる事まで行い、ほとんど役に立っていないのが現状である。
又、鼠や野良犬、野良猫にいたっては、臭気などを嗅ぎつけ、網やシート等の下に潜り込んだり、引き剥がして食い散らかしてしまう。【００１１】  家庭菜園等では、フード状のビニールハウスで保護した場合、中に入って草むしりや肥料やりが出来にくいばかりでなく、雨の日でも雨水が掛かることなく、水やり等を欠かす事が出来ない。又、風通しが悪く自然界にあわせた温度調節が困難である上、適度な日光を浴びさせる事が困難である。【００１２】  目の細かい網等を用いないで桟木や格子等のみでゴミ箱等を制作し、ゴミ置き場に設置すると、桟木や格子等の隙間から、煙草の吸い殻、ガムの噛みカスや立ち食いの残飯等小型のゴミを不良投棄される場合がある。
【課題を解決するための手段】
【００１３】  本考案は、従来の技術的欠点を除き、安価で軽量で容易に組み立て可能な一般家庭、集合住宅、商店街、飲食街等の鳥獣被害を防止するゴミ等集積場を設置できる部材及び構造を考案し、提供する。【００１４】  必要とするゴミ箱等のサイズに合わせ、木製、鋼製、アルミ製等のラテス、フェンス、柵に金網、ポリエチレン製等プラスチック製、布製等の網又は網状製品を外枠、横桟、縦桟、格子桟等に、釘、ホッチキス、紐、針金等を用いて取り付けるか、又は溶接等で取り付け鳥獣や害虫が侵入しがたいパネルを制作する。【００１５】  据え置き式の物に関しては、隣り合ったパネルの外枠を既製品金具の補強部材（Ｔ字金具、Ｌ字金具、平板金具、蝶番、繋ぎ用金具、鍵付設用金具等）で縫い合わせ四隅を固定する。この時、ゴミを出し入れやりやすい様に、一部分の高さを低め６０ｃｍ前後以下になるように開口部を設ける［図  １］。手を伸ばす事によりゴミの出し入れがやりやすい高さや奥行きの狭いゴミ箱等は、高さを低めた開口部を設けなくても良い。【００１６】  上部の覆い用や開口部をカバーするための蓋は、蝶番等を用いて可変性とし、ゴミを搬出した後は鍵を取り付け、容易に開かない構造とする［図  １］。
これにより上部からの鳥獣害虫等の侵入や、他人のゴミの投げ込み、ガム、残飯等の不良投棄が防止される。又、簡易的に可変式の蓋の代わりに網や網状の製品で覆う事も出来る。【００１７】  ［図面  ２参照］の如く側面を正面、裏面の長さの２分の１以下の２枚のパネルに蝶番等を取り付ける事により、中折れ形状にし不必要時に折りたため、保管場所を取らない、折りたたみ式ゴミ箱等を提供する事が出来る。【００１８】  予めパネルの側面に、繋ぎ金具やコーナー補強用金具等を取り付ける事により、容易に隣のパネル同士をジョイントでき、容易に組み立てられる。又、複数の繋ぎ金具直線になるように取り付ければ、エンドレスに延ばす事が出来、家庭菜園や小規模農園を鳥獣や害虫がら守る事が出来る。繋ぎ金具を用いる事により、鳥獣害虫侵入防止用パネルを単体を持ち運べ、不必要時には、少ない敷地に収納する事が出来る。【００１９】  四方及び上部等全面が網状のため、風が通り抜け、雨水が底にたまる事もなく、軽量であるため、設置場所や保管場所への移動が容易に出来る。
【考案の効果】
【００２０】  四方縦面と上部を、鳥獣害虫侵入防止用パネルで囲う事により、鳥獣によるゴミの食い散らかしや不良投棄を防止する事が出来、ゴミを道路上に積み上げる事もなくなり、ゴミ等の排出後回収されるまで、街の景観に寄与する事となる。【００２１】  開口部に背丈の低いパネルを用いる事で、跨いで中に入る事が出来、ゴミの出し入れや家庭菜園等の作業ための入室が容易に出来る。このことによりゴミの回収業者等の労力や菜園等の農作業の労力がビニールハウス使用時より、大幅に軽減される。【００２２】  折りたたみ式や、繋ぎ金具を用い組み立て式にする事により、不必要時には設置している必要が無く、狭い敷地に収納する事が出来る。特に商店街や飲食店街等のゴミ等の集積場が容易にでき、夜間等の排出時からゴミの回収業者による収集が終わるまで鳥獣被害を防止する事が出来る。
【考案の実施するための形態】
【００２３】  本考案の実施の形態を［図  １，２，３］に基づき説明する。
【００２４】  ［図  １］の如く、ラチス、フェンス、柵等の格子部分に金網、ポリエチレン製等プラスチック製や布製等の網又は網状製品を取り付けた鳥獣害虫防止用パネルで、四方を囲い、一部のパネルを跨いで出入りしやすいように、背丈の低いパネルを用いる。上部から鳥獣害虫の侵入を防ぐために、蝶番などを用いて可変式の蓋を取り付ける。常設の場合は鍵を取り付ける。
【００２５】  ［図  ２］の如く、前面や後面のパネルの２分の一以下のパネルを、蝶番等可変金具を用いて中折れ状態にすると、不必要時には折りたたむ事ができ、少ない収納場所で保管する事ができる。
又、［図  ３の符号８］のコーナー補強用金具を取り付ける事により堅牢なゴミ箱等が設置できる。
【００２６】    鳥獣害虫防止用パネルに［図  ３］の金具を取り、パネル同士を繋ぎ合わせる事により、希望の広さの農作業場などを設置できる。
【００２７】  ［図  １，２、３］をノックダウン方式や鳥獣害虫防止用パネル単体のサイズを規格化し、大量生産する事により、安価に提供され、誰でも容易に組み立て設置できる。
【図面の簡単な説明】
【００２９】
【図１】四隅を補強金具でつなぎ合わせ、開口部を出し入れしやすい様に、前面のパネルの高さを下げ、上部の蓋に蝶番を使い可変式とした図面
【図２】上部から見た折りたたみ式ゴミ箱の蝶番の用い方
【図３】組み立て式ゴミ箱の繋ぎ金具の一例と取り付け図
【符号の説明】
【００３０】    １．既製の蝶番
２．強度を補強する為に、取り付けた金具
３．鍵取り付け用金具
４，ラチス、フェンス、柵等の格子
５．繋ぎ金具の凸側
６．繋ぎ金具の凹側
７、繋ぎに用いる差し込み棒
８．コーナー補強用金具
【図１】
0003155413.tif 000003
【図２】
0003155413.tif 000004
【図３】
0003155413.tif 000005
【手続補正書】
【提出日】平成21年8月17日(2009.8.17)
【手続補正１】
【補正対象書類名】実用新案登録請求の範囲
【補正対象項目名】全文
【補正方法】変更
【補正の内容】
【実用新案登録請求の範囲】
【請求項１】
木製、鋼製、アルミ製のテラス、フェンス及び柵等に、網等を貼り付け鳥獣や害虫の侵入を防止するため形状を変更されたパネル状物品。
【請求項２】
木製、鋼製、アルミ製のテラス、フェンス及び柵等に、網等を貼り付け鳥獣や害虫の侵入を防止するため形状を変更されたパネル状物品を用いて組み立てられたゴミ箱等の物入れ。
【請求項３】
木製、鋼製、アルミ製のテラス、フェンス及び柵等に、網等を貼り付け鳥獣や害虫の侵入を防止するため形状を変更されたパネル状物品の強度を維持する支柱や枠に蝶番等の可変可能な金具を取り付ける事による鳥獣や害虫の侵入を防止し、持ち運びを可能にした、折りたたみ式ゴミ箱等の物入れ。
【請求項４】
木製、鋼製、アルミ製のテラス、フェンス及び柵等に、網等を貼り付け鳥獣や害虫の侵入を防止するため形状を変更されたパネル状物品の強度を維持する支柱や枠に、繋ぎ用金具を取り付ける事による鳥獣や害虫の侵入を防止し、容易に組み立て解体でき、パネル単体で持ち運び可能にした、組み立て式ゴミ箱等の物入れ。